(57)【特許請求の範囲】
【請求項１】
再利用可能な液体容器の側面周囲に巻装される液体容器用ラベルにおいて、
該液体容器用ラベルの液体容器からの除去を容易にするためのラベル切断部を備えるとともに、該液体容器用ラベルの前記液体容器側面からのみ視認される販売促進情報が印刷されており、
前記販売促進情報が前記液体容器用ラベルにおける濃色部分の液体容器側面に印刷されており、
前記濃色部分兼前記ラベル切断部として前記販売促進情報の表面からの読み取りを防止する濃色の切断用テープが備えられ、かつ、該切断用テープに前記販売促進情報が印刷されていることを特徴とする液体容器用ラベル。
【請求項２】
前記液体容器用ラベルの液体容器側面に印刷された前記販売促進情報の液体容器側に、容易に除去できる隠蔽層が設けられていることを特徴とする請求項１に記載の液体容器用ラベル。
【請求項３】
請求項１または請求項２に記載の液体容器用ラベルが側面に配されていることを特徴とする液体容器。
【発明の詳細な説明】
【技術分野】
【０００１】
本発明は、再利用可能なＰＥＴボトル等の液体容器の側面に巻装されて利用される液体容器用ラベル、及び、そのような液体容器用ラベルが周囲に配された液体容器に関する。
【背景技術】
【０００２】
主としてポリエステル樹脂、特にポリエチレンテレフタレート（ＰＥＴ）からなる液体容器は、清涼飲料、ミネラルウォーター等広く用いられ、日常生活にはなくてはならないものとなっている。
【０００３】
一方、これら容器は高純度のポリエステル樹脂から形成されており、その再利用は必須であるが、日本などのデポジット制度のない国においては、その回収率は充分に高いとは云えないのが実情である。
【０００４】
さらに、樹脂としての再生利用を可能とするために商品名等はこれら容器にではなく、その周囲に巻装されるシュリンクフィルム等からなる液体容器用ラベルに印刷されている。樹脂としての再生利用の際には、この液体容器用ラベルは除去されていることが必要であるが、消費者から回収された液体容器にはラベルが付いたままの状態のものが多く、再利用の妨げとなるとともに、再利用時のコストアップの要因となっていた。
【０００５】
このような問題に対して、特開２００６−１３１３０１公報、あるいは、特開２００６−９６４１４公報などでは、液体容器用ラベルを除去しやすいように様々な工夫が提案されているが、これによって実際に、回収される液体容器の液体容器用ラベルの、除去率向上に結びつくかは疑わしく、到底確実な手段とは云えないのが実情である。
【特許文献１】特開２００６−１３１３０１公報
【特許文献２】特開２００６−９６４１４公報
【発明の開示】
【発明が解決しようとする課題】
【０００６】
本発明は、これらの問題点を改善する、すなわち、再利用可能な液体容器の液体容器用ラベルを除去しようとする消費者の心理（モチベーション）を高め、延いては、回収される液体容器の液体容器用ラベルの除去率向上を可能とするような液体容器用ラベル、及び、このような液体容器用ラベルを有する液体容器を提供することを目的とする。
【課題を解決するための手段】
【０００７】
本発明の液体容器用ラベルは上記課題を解決するため、請求項１に記載の通り、再利用可能な液体容器の側面周囲に巻装される液体容器用ラベルにおいて、
該液体容器用ラベルの液体容器からの除去を容易にするためのラベル切断部を備えるとともに、該液体容器用ラベルの前記液体容器側面からのみ視認される販売促進情報が印刷されており、前記販売促進情報が前記液体容器用ラベルにおける濃色部分の液体容器側面に印刷されており、前記濃色部分兼前記ラベル切断部として前記販売促進情報の表面からの読み取りを防止する濃色の切断用テープが備えられ、かつ、該切断用テープに前記販売促進情報が印刷されていることを特徴とする液体容器用ラベルラベルである。
【００１０】
また、本発明の液体容器用ラベルは請求項２に記載のとおり、請求項１に記載の液体容器用ラベルにおいて、前記液体容器用ラベルの前記液体容器側面に印刷された前記販売促進情報の液体容器側に、容易に除去できる隠蔽層が設けられていることを特徴とする。
【００１１】
本発明の液体容器は請求項５に記載のとおり、請求項１または請求項２に記載の液体容器用ラベルが側面に配されていることを特徴とする液体容器である。
【発明の効果】
【００１２】
本発明の液体容器用ラベルを備えた液体容器によれば、液体容器用ラベルの裏面側に印刷された販売促進情報を得るために、必然的にラベルを液体容器から外すことが必要となり、結果として、回収される液体容器における、液体容器用ラベルの除去率向上が可能となる。
【００１３】
ここで、販売促進情報としては、例えば、ノベルティグッズ等の当選か落選の情報、あるいは、ノベルティグッズ懸賞に応募するための情報、インターネットのリンク情報等が、数字や文字、記号、あるいはバーコード、二次元コード等の、人間が、あるいは、携帯電話等のカメラが読み取れるものであれば良い。なお、販売促進情報としては、例えばラベル表面側から読むことができるクイズの解答や、キャラクター画像など、商品の入った液体容器を購入し、ラベルの裏面側を見たいと、消費者を引きつけるものであればよく、その場合も本発明に含まれる。
【００１４】
ここで、このような販売促進情報は、前記液体容器用ラベルにおける濃色部分の裏面側に、印刷されていることが、特別な隠蔽手段を設けなくてもこれら販売促進情報のラベルを通しての読み取りを防止することができ、液体容器用ラベルの除去率向上がより確実にできる。
【００１５】
さらに、前記液体容器用ラベルにラベル切断部として切断用テープが備えられ、かつ、該切断用テープに、前記販売促進情報が印刷されていると、切断用テープを濃色とすることで、切断テープの存在を明瞭にすることができると共に、特別な隠蔽手段を設けなくてもこれら販売促進情報の表面からの読み取りを防止することができるので、液体容器用ラベルの除去率向上がより確実にできる。
【００１６】
ここで、本発明を、図面を用いて説明する。
図１には、本発明に係る液体容器用ラベル３を側面周囲に有するＰＥＴボトル（液体容器）２を示す。ＰＥＴボトル２の上部にはねじ口部２ａがあり、蓋１により密栓可能となっている。
【００１７】
液体容器用ラベル３はこの例ではシュリンクフィルムからなり、図示された状態では、ＰＥＴボトル２側面の凹凸部に沿って密着しており、切断しない限りＰＥＴボトル２から外れることはない。
【００１８】
図中符号３ａは切断用テープであり、略四角柱のＰＥＴボトル２の対称軸に平行になるように液体容器用ラベル３の裏面側に配されており、かつ、液体容器用ラベル３の切断用テープ３ａの両脇にミシン目３ｂが切断用テープ３ａに平行に配されている。
【００１９】
ここで、たとえば切断用テープ３ａの上端をつまんで液体容器用ラベル３から引きはがす方向に引っ張ることにより、切断用テープ３ａの切断用テープ３ａ付近とその他の部分とに切り離され、同時に液体容器用ラベル３はＰＥＴボトル２から除去される。
【００２０】
切断後の、切断用テープ３ａ付近の裏面のモデル図を図２に示す。
切断用テープ３ａは濃色（この場合は青色）であり、この例では販売促進情報として、「あたり」の文字、この場合は英数字からなる当選番号（この当選番号は、ユニークな番号であり、そのために二重応募を排除できる）、及び、プレゼントに関する情報が掲載されたインターネットアドレスページの情報が印刷されている。
【００２１】
なお、液体容器２に内容される飲料などの液体が、不透明の場合には、未開封の状態では液体容器用ラベルの販売促進情報の文字等を読み取られることは予め防止されているが、ミネラルウォーターや、サイダー等の等の透明な液体の場合、未開封の状態では液体容器用ラベル３の裏面側の販売促進情報を読み取られる可能性がある。この場合には、液体容器用ラベル３の裏面側に印刷された販売促進情報の液体容器側に、容易に除去できる隠蔽層を設けることで解決することができる。このような隠蔽層としてはコインや爪で擦ることで容易に除去できるスクラッチ隠蔽層、不透明な易剥性の粘着剤が付いた不透明材質（紙や有色フィルム・テープ）層などが挙げられる。
【００２２】
ここで、切断用テープ３ａが設けられた部分の液体容器用ラベル３の積層構造の例について図３（ａ）〜図３（ｃ）、図４（ａ）、図４（ｂ），図５（ａ）〜図５（ｃ）、図６（ａ）、図６（ｂ）に示す。
【００２３】
これら図において、シュリンクフィルム層（液体容器用ラベル）３、切断用テープ３ａ、シュリンクフィルム層３の裏面側（液体容器側）に印刷された商品名などを印刷した印刷層３ｄ、切断用テープ３ａを液体容器用ラベル３の裏面に固定するための粘着剤層３ｅ、販売促進情報（印刷インキ層）４、販売促進情報（印刷インキ層）４の内容が表面から投資されるのを防止するための濃色の、あるいは、顔料が添加されたインクからなる表面隠蔽層５、スクラッチ可能なインクからなるスクラッチ隠蔽層６は共通であり、同じ符号で示した。
【００２４】
図３（ａ）に示す例では、印刷層３ｄか切断用テープ３ａが濃色であり、容器内の液体が透明でない場合に用いることができる構成である。
【００２５】
図３（ｂ）の構成では印刷層３ｄが濃色であることが表面側からの透視を防止するために必要で、切断用テープ３ａは透明なものである必要があるが、販売促進情報４は切断用テープ３ａにより保護されているので、摩擦などによって販売促進情報４が消えることはない。
【００２６】
図３（ｃ）の構成では印刷層３ｄ及び切断用テープ３ａが共に濃色でなくても表面隠蔽層５により表面側からの透視を防止することができる。
【００２７】
図４（ａ）の構成では印刷層３ｄ及び切断用テープ３ａが濃色でなくても表面隠蔽層５により表面側からの透視を防止することができる。
【００２８】
図４（ｂ）の構成では印刷層３ｄ及び切断用テープ３ａが濃色でなくても表面隠蔽層５により表面側からの透視を防止することができ、さらに販売促進情報４は切断用テープ３ａにより保護されているので、摩擦などによって販売促進情報４が消えることはない。
【００２９】
図５（ａ）〜図５（ｃ）、図６（ａ）及び図６（ｂ）の構成は図３（ａ）〜図３（ｃ）、図４（ａ）及び図４（ｂ）のそれぞれの最も液体容器側にスクラッチ隠蔽層６を設けたもので、上記それぞれの効果に加えて、容器内の液体が透明なものであっても、液体容器用ラベル３を容器から外す前には販売促進情報４を見ることができないと云う効果を併せて有する。
【００３０】
なお、上記例ではＰＥＴボトルの例を示したが、本発明はＰＥＴボトルのみならず、他の樹脂からなる再利用可能な液体容器や、ガラス瓶や紙製の液体容器などにもラベルを巻装させて配する場合において応用可能であり、その場合も本発明に含まれる。
【００３１】
上記ではラベルとして筒状に形成された、液体容器に糊止めされずに巻装されたシュリンクフィルムを用いる例を示したが、これ以外に、例えばその一端が糊止めされ（易剥性糊剤を用いて糊止めされていることが望ましい）、容器側面を１周するよう巻き付けて、他端がラベル自身に糊止めされて巻装されているラベル（ラベル自体は各種樹脂フィルム・シート、あるいは紙等からなる）に、本発明を応用しても良く、その場合も本発明に含まれる。
【００３２】
また、上記例では粘着剤からなる粘着剤層を示したが、粘着剤層の代わりにホットメルト接着剤からなるホットメルト層としてもよく、この場合も本発明に含まれる。、
【図面の簡単な説明】
【００３３】
【図１】本発明の液体容器用ラベルを有する液体容器を示すモデル斜視図である。
【図２】本発明に係る液体容器用ラベルにおいて、切断用テープ付近の裏面を示した図である。
【図３】本発明に係る液体容器用ラベルの、切断用テープ付近の断面を示したモデル図である。図３（ａ）〜図３（ｃ）はそれぞれその構成例を示す図である。
【図４】本発明に係る液体容器用ラベルの、切断用テープ付近の断面を示したモデル図である。図４（ａ）、図４（ｂ）はそれぞれその構成例を示す図である。
【図５】本発明に係る液体容器用ラベルの、切断用テープ付近の断面を示したモデル図である。図５（ａ）〜図５（ｃ）はそれぞれその構成例を示す図である。
【図６】本発明に係る液体容器用ラベルの、切断用テープ付近の断面を示したモデル図である。図６（ａ）、図６（ｂ）はそれぞれその構成例を示す図である。
【符号の説明】
【００３４】
１    蓋
２    ＰＥＴボトル
３    シュリンクフィルム層（液体容器用ラベル）
３ａ  切断用テープ
３ｄ  印刷層
３ｅ  粘着剤層
４    販売促進情報
５    表面隠蔽層
６    スクラッチ隠蔽層
【図１】
0005191186.tif 000002
【図２】
0005191186.tif 000003
【図３】
0005191186.tif 000004
【図４】
0005191186.tif 000005
【図５】
0005191186.tif 000006
【図６】
0005191186.tif 000007